(57)【特許請求の範囲】
【請求項１】
パス毎に受信信号を逆拡散してレイク合成するに際して、受信信号を用いて発生された遅延プロファイルに基づいてレイク合成を行う際にパスを検出するＣＤＭＡ受信装置におけるパス検出方法であって、前記遅延プロファイルに基づいて有効なパスを検出するための基準パスを検出し、検出された前記基準パスの受信レベルから隣接パス検出閾値を求め、前記基準パスの検出時刻近傍で前記隣接パス検出閾値を超えている隣接パスを、レイク合成を行う際に有効なパスとして検出し、
前記基準パスは、前記遅延プロファイル内の順次に大きい受信レベルを有するパスを順次基準パスとして検出したときまでに検出された有効なパスの総数が所定の有効なパスの数に至っていないとき、最新に検出された基準パスの検出時刻から前後にずれた時刻において最新に検出された該基準パスの前記受信レベルに次ぐ受信レベルを有するパスとして検出されることを特徴とするＣＤＭＡ受信装置におけるパス検出方法。
【請求項２】
前記パス検出時間は、前記受信信号を逆拡散する基本単位時間より所定の値だけ短い時間であることを特徴とする請求項１記載のＣＤＭＡ受信装置におけるパス検出方法。
【請求項３】
前記レイク合成を行う際に有効なパスは、前記基準パスの前記受信レベルが、前記遅延プロファイルの平均値にパス検出閾値係数を乗算して得たパス検出閾値を超えていることを条件に検出されることを特徴とする請求項１又は２記載のＣＤＭＡ受信装置におけるパス検出方法。
【請求項４】
前記レイク合成を行う際に有効なパスは、前記基準パスの前記検出時刻よりも所定時間だけずれた時刻までのパスであって、該パスの前記受信レベルが、検出された前記基準パスの前記受信レベルに前記所定時間だけずれた時刻での第１のパス検出閾値係数を乗算して得た第１のパス検出閾値を超えていることを条件に検出されることを特徴とする請求項１又は２記載のＣＤＭＡ受信装置におけるパス検出方法。
【請求項５】
前記レイク合成を行う際に有効なパスは、前記基準パスの前記受信レベルが前記遅延プロファイルの平均値に無条件マスク閾値係数を乗算して得た無条件マスク閾値を超えていることを条件に検出されることを特徴とする請求項１又は２記載のＣＤＭＡ受信装置におけるパス検出方法。
【請求項６】
前記レイク合成を行う際に有効なパスは、前記基準パスの前記検出時刻から所定時間よりも長く、かつ、前記パス検出時間よりも短い時間だけずれた時刻までのパスであって、該パスの前記受信レベルが、検出された前記基準パスの前記受信レベルに前記所定時間だけずれた時刻での第１のパス検出閾値係数を乗算して得た第１のパス検出閾値を超えていることを条件に検出されることを特徴とする請求項１又は２記載のＣＤＭＡ受信装置におけるパス検出方法。
【請求項７】
前記レイク合成を行う際に有効なパスは、前記基準パスの受信レベルが、前記パス検出閾値を超えているときに検出される有効なパスと、前記無条件マスク閾値を超えているときに検出される有効なパスと、前記所定時間だけずれた時刻までのパスであって、該パスの前記受信レベルが、前記第１のパス検出閾値を超えているときに検出される有効なパスと、前記所定時間よりも長く、かつ、前記パス検出時間よりも短い時間だけずれた時刻までのパスであって、該パスの受信レベルが、前記第１のパス検出閾値を超えているとき検出される有効なパスとの一部又は全部の組み合わせとして検出されることを特徴とする請求項１又は２記載のＣＤＭＡ受信装置におけるパス検出方法。
【請求項８】
前記所定時間は、前記基本単位時間の１／４の時間であることを特徴とする請求項４、５、６又は７記載のＣＤＭＡ受信装置におけるパス検出方法。
【請求項９】
前記所定時間は、前記基本単位時間の１／２の時間であることを特徴とする請求項４、５、６又は７記載のＣＤＭＡ受信装置におけるパス検出方法。
【請求項１０】
前記パス検出閾値係数は、３．７５であることを特徴とする請求項３、７、８又は９記載のＣＤＭＡ受信装置におけるパス検出方法。
【請求項１１】
前記第１のパス検出閾値係数は、０．９３７５であることを特徴とする請求項４、６、７、８又は９記載のＣＤＭＡ受信装置におけるパス検出方法。
【請求項１２】
前記第１のパス検出閾値係数は、０．６２５であることを特徴とする請求項４、６、７、８又は９記載のＣＤＭＡ受信装置におけるパス検出方法。
【請求項１３】
前記無条件マスク閾値係数は、８であることを特徴とする請求項５又は７記載のＣＤＭＡ受信装置におけるパス検出方法。
【請求項１４】
前記所定時間よりも長く、かつ、前記パス検出時間よりも短い時間は、前記基本単位時間の３／４の時間であることを特徴とする請求項６、７、８又は９記載のＣＤＭＡ受信装置におけるパス検出方法。
【請求項１５】
遅延プロファイルを記憶する記憶手段と、該記憶手段から前記遅延プロファイルを読み出し、読み出した前記遅延プロファイルに基づいてレイク合成を行う際にパスを検出するパス検出手段を有するＣＤＭＡ受信装置におけるパス検出装置であって、前記パス検出手段を、前記記憶手段から読み出された前記遅延プロファイルに基づいて有効なパスを検出するための基準パスを検出する基準パス検出手段と、検出された前記基準パスの受信レベルから隣接パス検出閾値を求め、前記基準パスの検出時刻の近傍で前記隣接パス検出閾値を超えている隣接パスを、レイク合成を行う際に有効なパスとして検出する検出手段とを備え、
前記基準パス検出手段は、前記遅延プロファイル内の順次に大きい受信レベルを有するパスを順次基準パスとして検出したときまでに検出されている有効なパスの総数が所定の有効なパスの数に至っていないとき、最新に検出された基準パスの検出時刻から前後にずれた時刻において最新に検出された該基準パスの前記受信レベルに次ぐ受信レベルを有するパスを基準パスとして検出することを特徴とするＣＤＭＡ受信装置におけるパス検出装置。
【請求項１６】
前記パス検出時間は、前記受信信号を逆拡散する基本単位時間より所定の値だけ短い時間であることを特徴とする請求項１５記載のＣＤＭＡ受信装置におけるパス検出装置。
【請求項１７】
前記検出手段は、前記基準パスの前記受信レベルが、前記遅延プロファイルの平均値にパス検出閾値係数を乗算して得たパス検出閾値を超えていることを条件に有効なパスを検出することを特徴とする請求項１５又は１６記載のＣＤＭＡ受信装置におけるパス検出装置。
【請求項１８】
前記検出手段は、前記基準パスの前記検出時刻よりも所定時間だけずれた時刻までのパスであって、該パスの前記受信レベルが、検出された前記基準パスの前記受信レベルに前記所定時間だけずれた時刻での第１のパス検出閾値係数を乗算して得た第１のパス検出閾値を超えていることを条件に有効なパスを検出することを特徴とする請求項１５又は１６記載のＣＤＭＡ受信装置におけるパス検出装置。
【請求項１９】
前記検出手段は、前記基準パスの前記受信レベルが前記遅延プロファイルの平均値に無条件マスク閾値係数を乗算して得た無条件マスク閾値を超えていることを条件に有効なパスを検出することを特徴とする請求項１５又は１６記載のＣＤＭＡ受信装置におけるパス検出装置。
【請求項２０】
前記検出手段は、前記基準パスの前記検出時刻から前記所定時間よりも長く、かつ、前記パス検出時間よりも短い時間だけずれた時刻までのパスであって、該パスの前記受信レベルが、検出された前記基準パスの前記受信レベルに所定時間だけずれた時刻での第１のパス検出閾値係数を乗算して得た第１のパス検出閾値を超えていることを条件に有効なパスを検出することを特徴とする請求項１５又は１６記載のＣＤＭＡ受信装置におけるパス検出装置。
【請求項２１】
前記検出手段は、前記基準パスの受信レベルが、前記パス検出閾値を超えているとき有効なパスを検出する第１の検出手段と、前記無条件マスク閾値を超えているとき有効なパスを検出する第２の検出手段と、前記所定時間だけずれた時刻までのパスであって、該パスの前記受信レベルが、前記第１のパス検出閾値を超えているとき有効なパスを検出する第３の検出手段と、前記所定時間よりも長く、かつ、前記パス検出時間よりも短い時間だけずれた時刻までのパスであって、
該パスの前記受信レベルが、前記第１のパス検出閾値を超えているとき有効なパスを検出する第4の検出手段との一部又は全部の組み合わせとして構成されることを特徴とする請求項１５又は１６記載のＣＤＭＡ受信装置におけるパス検出装置。
【請求項２２】
前記所定時間は、前記基本単位時間の１／４の時間であることを特徴とする請求項１８，１９，２０又は２１記載のＣＤＭＡ受信装置におけるパス検出装置。
【請求項２３】
前記所定時間は、前記基本単位時間の１／２の時間であることを特徴とする請求項１８，１９，２０又は２１記載のＣＤＭＡ受信装置におけるパス検出装置。
【請求項２４】
前記パス検出閾値係数は、３．７５であることを特徴とする請求項１７、２１、２２又は２３記載のＣＤＭＡ受信装置におけるパス検出装置。
【請求項２５】
前記第１のパス検出閾値係数は、０．９３７５であることを特徴とする請求項１８、２１、２２、又は２３記載のＣＤＭＡ受信装置におけるパス検出装置。
【請求項２６】
前記第１のパス検出閾値係数は、０．６２５であることを特徴とする請求項１８、２１、２２又は２３記載のＣＤＭＡ受信装置におけるパス検出装置。
【請求項２７】
前記無条件マスク閾値係数は、８であることを特徴とする請求項１９又は２１記載のＣＤＭＡ受信装置におけるパス検出装置。
【請求項２８】
前記所定時間よりも長く、かつ、前記パス検出時間よりも短い時間は、前記基本単位時間の３／４の時間であることを特徴とする請求項２０、２１、２２又は２３記載のＣＤＭＡ受信装置におけるパス検出装置。
【請求項２９】
コンピュータに、請求項１乃至１４のうちのいずれか一に記載のＣＤＭＡ受信装置におけるパス検出方法を実現させるための制御プログラムを記載した記録媒体。
【請求項３０】
コンピュータに、請求項１５乃至２８のうちのいずれか一に記載のＣＤＭＡ受信装置におけるパス検出装置の機能を実現させるための制御プログラムを記載した記録媒体。
【発明の詳細な説明】
【０００１】
【発明の属する技術分野】
この発明は、ＣＤＭＡ受信装置におけるパス検出方法及びその装置並びに制御プログラムを記録した記録媒体に関し、詳しくはパスの誤認識を可及的に除き得るＣＤＭＡ受信装置におけるパス検出方法及びその装置並びに制御プログラムを記録した記録媒体に関する。
【０００２】
【従来の技術】
CDMA（Code Divisional Multiple Access：符号分割多元接続）通信システムに用いられる受信装置（以下、ＣＤＭＡ受信装置という）を構成する公知のパス検出方法は、遅延プロファイルを作成し、その遅延プロファイル内の受信レベルの大きいＮ（Ｎはフィンガ数により決定される自然数）個のパスをレイク合成すべきパスとして検出するものである。
その遅延プロファイルは、図１２に示すように、受信レベルの時間推移を表すものである。この遅延プロファイルの作成は、次の通りである。なお、図１２の横軸は時間で、その１目盛は１／４チップである。縦軸は受信レベル（コード相関値）である。１チップは、受信信号を逆拡散する基本単位時間をいう。
CDMA（Code Divisional Multiple Access：符号分割多元接続）伝送技術に適用して好適である。
【０００３】
受信信号をある１つのタイミングＥ１で拡散符号レプリカを用いて逆拡散を行ってタイミングＥ１における受信レベルを測定する。タイミングＥ１は、１チップに対する分解能、例えば、１／４分解能のタイミングに設定される。
タイミングＥ１での測定後、１分解能のタイミングだけずらせつつ、ずらせたタイミング毎に同様の受信レベルを測定する。すなわち、図１２のタイミングＥ２、Ｅ３、Ｅ４、…での受信レベルを順次測定する。その測定個数Ｌは、マルチパスサーチ範囲内の、遅延プロファイルを作成する際のサーチウィンドウサイズにより決定される値である。
このようにして測定されたＬ個の受信レベルと拡散符号レプリカとから、遅延プロファイルは作成される。
【０００４】
図１３は、上述した従来のパス検出方法の装置構成を示す図である。パス検出装置は、図１３に示すように、逆拡散手段１２、拡散符号レプリカ生成手段１４、記憶部１６、最大受信レベル検出手段２２、パス検出手段４−２８及びパスマスク手段３０から構成されている。
なお、逆拡散手段１２の入力には、アンテナ１１で受信した高周波信号を高周波受信回路１３でダウンコンバートし、ダウンコンバートされた信号をA／D変換回路１５でA／D変換した受信信号が供給される。また、受信信号は、フィンガ１７に供給され、後述するレイク合成すべきパスに基づいて逆拡散した信号（復調信号）がフィンガ１７から出力される。その復調信号は、レイク受信回路１９へ供給されてレイク合成され、レイク合成された信号は、図示しない受信データを再生する回路に供給される。
【０００５】
受信信号を受信する逆拡散手段１２において、拡散符号レプリカ生成手段１４から与えられる拡散符号レプリカを用いて遅延プロファイルの受信レベルが順次作成される。順次に作成される遅延プロファイルの受信レベルは、記憶部１６に記憶される。
【０００６】
最大受信レベル手段２２が、記憶部１６に記憶された遅延プロファイルを読み出し、その遅延プロファイルを用いて最大受信レベルを有するパスを基準パスとして検出する（図１４のＳＣ１）。
パスマスク手段３０は、レイク合成すべきパスとされたパスの±３／４チップ以内の範囲に存在するパスに対するマスク処理を行う（図１４のＳＣ２）。
パス検出手段４−２８は、最大受信レベル手段１８で検出した基準パスをレイク合成すべきパスとする（図１４のＳＣ３）。
【０００７】
この処理までにおいて、フィンガ本数分のレイク合成すべきパスが検出されていないならば（図１４のＳＣ４のＮ）、パス検出手段２２において、基準パスの受信レベルよりも小さい受信レベルのうちの最大受信レベルを示しているパスを基準パスとしてステップＳＣ２の処理に戻る（図１４のＳＣ５）。
上述のステップＳＣ２乃至ステップＳＣ５の処理をフィンガ本数分のレイク合成すべきパスが検出されるまで繰り返す。
フィンガ本数分のレイク合成すべきパスが検出されたとき（図１４のＳＣ４のＹ）、パスの検出処理は終了する。
検出されたフィンガ本数分のパスについてのレイク合成は、その検出後にレイク受信回路１９において行われる。
【０００８】
上述した従来のパス検出方法は、作成した遅延プロファイルから受信レベルの最大受信レベルから順次小さい受信レベルまでのＮ（Ｎはフィンガの数）個のパスをレイク合成すべきパスとして検出している。
【０００９】
したがって、遅延プロファイルが、例えば、図１５に示すようなものであったとするとすると（但し、図１５の横軸は時間で、その１目盛は５チップであり、１チップ内に１／４チップ分解能で測定される２４個分の受信レベルのドットがる。縦軸は受信レベル（コード相関値）である）、レイク合成すべき本来のパスの受信レベルのピークがＦ１、Ｆ２及びＦ３である場合であって、ノイズやフェージングによる干渉若しくはコード相関によるピークがＦ４、Ｆ５として現れているほか、ピークＦ１のパスとピークＦ２のパスとの干渉によるピークがＦ６として現れて来るときに、フィンガの数Ｎが６であるならば、ピークＦ１乃至Ｆ６がすべてレイク合成すべきパスとして検出されてしまうことになり、本来レイク合成すべきパスとされるべきでないピークＦ４乃至Ｆ６のパスまでもレイク合成すべきパスと誤認識してしまうので、受信特性が劣化するという不都合が生ずる。
また、レイク合成すべきパスとして検出したパスの±ｎ（ｎは遅延プロファイルを作成する際の分解能で決定される自然数）個のパスをマスクしている。したがって、たとえレイク合成に有効なパスであったとしても、それらのパスは、除外されてしまう。
【００１０】
上述した従来のパス検出方法を用いて得られるパスタイミングが頻繁に入れ替わるのを防止して受信特性の劣化を抑えるＣＤＭＡ受信装置が、特開２０００−１１５０３０号公報（第１の公知例）に記載されている。
すなわち、図１６に示すように、アンテナ１１で受信した高周波信号を高周波受信回路１３でダウンコンバートし、高周波受信回路１３から出力された信号をＡ／Ｄ変換回路１５でＡ／Ｄ変換し、Ａ／Ｄ変換された受信信号をスライディング相関器６０に供給する。
【００１１】
スライディング相関器６０は、遅延プロファイルを作成する。作成された遅延プロファイルに対するフェージング等によるパス変動の平均化処理を遅延プロファイル電力加算部６２において行い、その平均化処理後の遅延プロファイルに、演算部６４において状態重み付け部６６からの重み付け関数が乗ぜられる。重み付けられた遅延プロファイルを受け取る相関ピーク位置検出部６８は、パスタイミングを検出する。検出されたパスタイミングは、レイクパス割り当て部７０に供給され、レイクパス割り当て部７０は、フィンガ１７にパス位置を割り当てると共に、重み付け関数を設定する。レイクパス割り当て部７０における重み付け関数の設定の仕方は、現在のパス割り当て位置でのピーク値を大きくするような設定の仕方である。
【００１２】
なお、演算部６４、状態重み付け部６６、相関ピーク位置検出部６８及びレイクパス割り当て部７０は、ＤＳＰ７４内にあって、制御メモリ７２に記憶されているプログラムが、ＤＳＰ７４のプログラム実行部（図示せず）によって読み出され、そこで実行されることによってその機能を遂行するようにして構成されている。
【００１３】
上述のような重み付け関数の設定は、フィンガ部に既に割り当てられているパスを優位なレベルにするように作用する。
したがって、パスタイミングが頻繁に入れ替わる状況が発生したとしても、その入れ替わりを防止することができる。
上記第１の公知例に記載されるパスタイミングの検出方法は、図２２のステップＳＤ１〜ＳＤ４に示されるように、作成された遅延プロファイルから受信レベルの大きい順にフィンガ本数分のレイク合成すべきパスを検出する方法である。
したがって、上記第１の公知例に記載されるパスタイミングの検出方法は、上述した従来のパス検出方法と同じであり、上述の技術的課題を残している。
【００１４】
このような不都合を解決する技術手段が、特開平１０−３３６０７２号公報（第２の公知例）に記載されている。
この第２の公知例に記載されるレイク受信機は、図１８に示すように構成されており、逆拡散手段１２、拡散符号レプリカ生成手段１４、記憶部１６、最大受信レベル検出手段２２、最小受信レベル検出手段５２、第１の乗算手段５４、第２の乗算手段５６、パスマスク手段３０及びパス検出手段５−２８から構成されている。
なお、逆拡散手段１２の入力には、図１３について説明したように、図１３に示すＡ／Ｄ変換回路１５でＡ／Ｄ変換された受信信号が供給される。
【００１５】
受信信号を受信する逆拡散手段１２において、拡散符号レプリカ生成手段１４から与えられる拡散符号レプリカを用いて遅延プロファイルの受信レベルが順次作成される。順次に作成される遅延プロファイルの受信レベルは、記憶部１６に記憶される。
【００１６】
最大受信レベル手段２２が、記憶部１６に記憶された遅延プロファイルを読み出し、その遅延プロファイルを用いて最大受信レベルを検出し、最小受信レベル検出手段５２が、記憶部１６に記憶された遅延プロファイルを読み出し、その遅延プロファイルを用いて最小受信レベルを検出する。第１の乗算手段５４が、最大受信レベル検出手段２２で検出された最大受信レベルに第１の閾値係数を乗算して第１の閾値Ｇ１を算出し、第２の乗算手段５６が、最小受信レベル検出手段５２で検出された最小受信レベルに第２の閾値係数を乗算して第２の閾値Ｇ２を算出する（図１９のＳＥ１）。
【００１７】
また、最大受信レベル手段２２は、記憶部１６に記憶された遅延プロファイルを用いて最大受信レベルを検出する処理のほか、検出した最大受信レベルを有するパスを基準パスとして検出する処理も行う（図１９のＳＥ２）。
パス検出手段５−２８は、最大受信レベル手段２２で検出した基準パスの受信レベルが、第１の乗算手段５４から出力された第１の閾値Ｇ１及び第２の乗算手段５６から出力された第２の閾値Ｇ２より大きいか否かを判定して大きいときそのパスをレイク合成すべきパスとして検出とする（図１９のＳＥ３のＹ）。
【００１８】
パスマスク手段３０は、レイク合成すべきパスとされたパスの±３／４チップ以内にあるパスのマスク処理を行う（図１９のＳＥ４）。
上記基準パスをレイク合成すべきパスとして検出する（図１９のＳＥ５）。
【００１９】
この処理までにおいて、フィンガ本数分のレイク合成すべきパスが検出されていないならば（図１９のＳＥ６のＮ）、パス検出手段５−２８において、基準パスの受信レベルよりも小さい受信レベルのうちの最っとも大きい受信レベルを有するパスを基準パスとしてステップＳＥ２の処理に戻る（図１９のＳＥ７）。
上述のステップＳＥ３乃至ステップＳＥ７の処理をフィンガ本数分のレイク合成すべきパスが検出されるまで繰り返す。
フィンガ本数分のレイク合成すべきパスが検出されたとき（図１９のＳＥ６のＹ）、パスの検出処理は終了する。
検出されたフィンガ本数分のパスについてのレイク合成は、その検出後に、パス検出手段５−２８に接続されるレイク受信回路（図１３の１９を参照されたい）において行われる。
【００２０】
上記第２の公知例に記載されるパス検出方法は、基準パス毎に基準パスから±３／４チップ以内にあるパスを除外するマスク処理を行うので、図２０に示すように、第１の閾値Ｇ１及び第２の閾値Ｇ２を超える受信レベルを有するパスだけをレイク合成すべきパスとして検出する。なお、図２０の横軸は時間で、その表示内容は、図１５と同様である。縦軸は受信レベル（コード相関値）である。
したがって、受信レベルのピークのうちピークＦ１、Ｆ２、Ｆ３のパスをレイク合成すべきパスとして検出するが、受信レベルのピークのうちピークＦ４、Ｆ５、Ｆ６のパスは、レイク合成すべきパスではないと判断することが可能になる。
【００２１】
【発明が解決しようとする課題】
しかし、図２１に示すようなレイク合成すべきパスが、受信レベルＨ１、Ｈ２の中間にあるような遅延プロファイルである場合においては、受信レベルＨ１、Ｈ２の双方もレイク合成すべきパスとしてレイク合成した方が受信特性の向上を図ることができる筈である。なお、図２１の横軸は時間で、その１目盛は、１／４チップである。縦軸は、受信レベル（コード相関値）である。
【００２２】
しかしながら、上記第２の公知例に記載されるパス検出方法は、上述したように、最大受信レベル及び最小受信レベルを検出し、これら両受信レベルから第１の閾値Ｇ１及び第２の閾値Ｇ２を算出して最大受信レベル、上記例では受信レベルＨ１が第１の閾値Ｇ１及び第２の閾値Ｇ２のいずれよりも大きいか否かを判定して当該受信レベルＨ１のパスをレイク合成すべきパスとするが、受信レベルＨ１のパスの±３／４チップ以内のパスに対するマスク処理をしてしまうために（図２１の網掛け部分がマスク範囲）、受信レベルＨ１の次に大きい受信レベルＨ２がレイク合成すべきパスの対象から外されてしまい、結果として意図する受信特性の向上が図れない、すなわち、受信レベルＨ１及び受信レベルＨ２の双方をレイク合成すべきパスとする場合に比して受信特性が劣化するという問題がある。
【００２３】
また、遅延プロファイルが図２２に示すような、すなわち、レイク合成すべきパス（受信レベルＩ１）に非常に近いタイミング位置に、レイク合成すべきパス（受信レベルＩ２、受信レベルＩ３又は受信レベルＩ２と受信レベルＩ３との中間にある受信レベルのうちのいずれかの受信レベル）が存在し、干渉しているようなものであるとき、第２の公知例に記載されるパス検出方法では、受信レベルＩ１のパスはレイク合成すべきパスとして検出されるが、受信レベルＩ２、受信レベルＩ３又は受信レベルＩ２と受信レベルＩ３との中間にある受信レベルのうちのいずれかの受信レベルのパス（図２２の網掛け部分がマスク範囲）も、上述したマスク処理により、レイク合成すべきパスから除外されてしまうので、受信特性の劣化が避けられないという不都合も生ずる。なお、図２２の横軸は時間で、その１目盛は１／４チップである。縦軸は受信レベル（コード相関値）である。
【００２４】
この発明は、上述の事情に鑑みてなされたもので、遅延プロファイルに基づいて有効なパスを検出する場合の有効なパスの誤認識を可及的に少なくし得るＣＤＭＡ受信装置におけるパス候補検出方法及びその装置並びに制御プログラムを記録した記録媒体を提供することを目的としている。
【００２５】
【課題を解決するための手段】
上記課題を解決するために、請求項１記載の発明は、パス毎に受信信号を逆拡散してレイク合成するに際して、受信信号を用いて発生された遅延プロファイルに基づいてレイク合成を行う際にパスを検出するＣＤＭＡ受信装置におけるパス検出方法に係り、前記遅延プロファイルに基づいて有効なパスを検出するための基準パスを検出し、検出された前記基準パスの受信レベルから隣接パス検出閾値を求め、前記基準パスの検出時刻近傍で前記隣接パス検出閾値を超えている隣接パスを、レイク合成を行う際に有効なパスとして検出することを特徴としている。
【００２６】
請求項２記載の発明は、請求項１記載のＣＤＭＡ受信装置におけるパス検出方法に係り、上記基準パスは、上記遅延プロファイル内の順次に大きい受信レベルを有するパスを順次基準パスとして検出したときまでに検出された有効なパスの総数が所定の有効なパスの数に至っていないとき、最新に検出された基準パスの検出時刻から前後にずれた時刻において最新に検出された該基準パスの上記受信レベルに次ぐ受信レベルを有するパスとして検出されることを特徴としている。
【００２７】
請求項３記載の発明は、請求項１又は２記載のＣＤＭＡ受信装置におけるパス検出方法に係り、上記パス検出時間は、上記受信信号を逆拡散する基本単位時間より所定の値だけ短い時間であることを特徴としている。
【００２８】
請求項４記載の発明は、請求項１、２又は３記載のＣＤＭＡ受信装置におけるパス検出方法に係り、上記レイク合成を行う際に有効なパスは、上記基準パスの上記受信レベルが、上記遅延プロファイルの平均値にパス検出閾値係数を乗算して得たパス検出閾値を超えていることを条件に検出されることを特徴としている。
【００２９】
請求項５記載の発明は、請求項１、２又は３記載のＣＤＭＡ受信装置におけるパス検出方法に係り、上記レイク合成を行う際に有効なパスは、上記基準パスの上記検出時刻よりも所定時間だけずれた時刻までのパスであって、該パスの上記受信レベルが、検出された上記基準パスの上記受信レベルに上記所定時間だけずれた時刻での第１のパス検出閾値係数を乗算して得た第１のパス検出閾値を超えていることを条件に検出されることを特徴としている。
【００３０】
請求項６記載の発明は、請求項１、２又は３記載のＣＤＭＡ受信装置におけるパス検出方法に係り、上記レイク合成を行う際に有効なパスは、上記基準パスの上記受信レベルが上記遅延プロファイルの平均値に無条件マスク閾値係数を乗算して得た無条件マスク閾値を超えていることを条件に検出されることを特徴としている。
【００３１】
請求項７記載の発明は、請求項１、２又は３記載のＣＤＭＡ受信装置におけるパス検出方法に係り、前記レイク合成を行う際に有効なパスは、前記基準パスの前記検出時刻から所定時間よりも長く、かつ、前記パス検出時間よりも短い時間だけずれた時刻までのパスであって、該パスの前記受信レベルが、検出された前記基準パスの前記受信レベルに前記所定時間だけずれた時刻での第１のパス検出閾値係数を乗算して得た第１のパス検出閾値を超えていることを条件に検出されることを特徴としている。
【００３２】
請求項８記載の発明は、請求項１、２又は３記載のＣＤＭＡ受信装置におけるパス検出方法に係り、上記レイク合成を行う際に有効なパスは、上記基準パスの受信レベルが、上記パス検出閾値を超えているときに検出される有効なパスと、上記無条件マスク閾値を超えているときに検出される有効なパスと、上記所定時間だけずれた時刻までのパスであって、該パスの上記受信レベルが、上記第１のパス検出閾値を超えているときに検出される有効なパスと、上記所定時間よりも長く、かつ、上記パス検出時間よりも短い時間だけずれた時刻までのパスであって、該パスの受信レベルが、上記第１のパス検出閾値を超えているとき検出される有効なパスとの一部又は全部の組み合わせとして検出されることを特徴としている。
【００３３】
請求項９記載の発明は、請求項５、６、７又は８記載のＣＤＭＡ受信装置におけるパス検出方法に係り、上記所定時間は、上記基本単位時間の１／４の時間であることを特徴としている。
【００３４】
請求項１０記載の発明は、請求項５、６、７又は８記載のＣＤＭＡ受信装置におけるパス検出方法に係り、上記所定時間は、上記基本単位時間の１／２の時間であることを特徴としている。
【００３５】
請求項１１記載の発明は、請求項４、８、９又は１０記載のＣＤＭＡ受信装置におけるパス検出方法に係り、上記パス検出閾値係数は、３．７５であることを特徴としている。
【００３６】
請求項１２記載の発明は、請求項５、７、８、９又は１０記載のＣＤＭＡ受信装置におけるパス検出方法に係り、上記第１のパス検出閾値係数は、０．９３７５であることを特徴としている。
【００３７】
請求項１３記載の発明は、請求項５、７、８、９又は１０記載のＣＤＭＡ受信装置におけるパス検出方法に係り、上記第１のパス検出閾値係数は、０．６２５であることを特徴としている。
【００３８】
請求項１４記載の発明は、請求項６又は８記載のＣＤＭＡ受信装置におけるパス検出方法に係り、上記無条件マスク閾値係数は、８であることを特徴としている。
【００３９】
請求項１５記載の発明は、請求項７、８、９又は１０記載のＣＤＭＡ受信装置におけるパス検出方法に係り、上記所定時間よりも長く、かつ、上記パス検出時間よりも短い時間は、上記基本単位時間の３／４の時間であることを特徴としている。
【００４０】
請求項１6記載の発明は、遅延プロファイルを記憶する記憶手段と、該記憶手段から前記遅延プロファイルを読み出し、読み出した前記遅延プロファイルに基づいてレイク合成を行う際にパスを検出するパス検出手段を有するＣＤＭＡ受信装置におけるパス検出装置に係り、前記パス検出手段を、前記記憶手段から読み出された前記遅延プロファイルに基づいて有効なパスを検出するための基準パスを検出する基準パス検出手段と、検出された前記基準パスの受信レベルから隣接パス検出閾値を求め、前記基準パスの検出時刻の近傍で前記隣接パス検出閾値を超えている隣接パスを、レイク合成を行う際に有効なパスとして検出する検出手段とで構成したことを特徴としている。
【００４１】
請求項１７記載の発明は、請求項１６記載のＣＤＭＡ受信装置におけるパス検出装置に係り、上記基準パス検出手段は、上記遅延プロファイル内の順次に大きい受信レベルを有するパスを順次基準パスとして検出したときまでに検出されている有効なパスの総数が所定の有効なパスの数に至っていないとき、最新に検出された基準パスの検出時刻から前後にずれた時刻において最新に検出された該基準パスの上記受信レベルに次ぐ受信レベルを有するパスを基準パスとして検出することを特徴としている。
【００４２】
請求項１８記載の発明は、請求項１６又は１７記載のＣＤＭＡ受信装置におけるパス検出装置に係り、上記パス検出時間は、上記受信信号を逆拡散する基本単位時間より所定の値だけ短い時間であることを特徴としている。
【００４３】
請求項１９記載の発明は、請求項１６、１７又は１８記載のＣＤＭＡ受信装置におけるパス検出装置に係り、上記検出手段は、上記基準パスの上記受信レベルが、上記遅延プロファイルの平均値にパス検出閾値係数を乗算して得たパス検出閾値を超えていることを条件に有効なパスを検出することを特徴としている。
【００４４】
請求項２０記載の発明は、請求項１６、１７又は１８記載のＣＤＭＡ受信装置におけるパス検出装置に係り、上記検出手段は、上記基準パスの上記検出時刻よりも所定時間だけずれた時刻までのパスであって、該パスの上記受信レベルが、検出された上記基準パスの上記受信レベルに上記所定時間だけずれた時刻での第１のパス検出閾値係数を乗算して得た第１のパス検出閾値を超えていることを条件に有効なパスを検出することを特徴としている。
【００４５】
請求項２１記載の発明は、請求項１６、１７又は１８記載のＣＤＭＡ受信装置におけるパス検出装置に係り、上記検出手段は、上記基準パスの上記受信レベルが上記遅延プロファイルの平均値に無条件マスク閾値係数を乗算して得た無条件マスク閾値を超えていることを条件に有効なパスを検出することを特徴としている。
【００４６】
請求項２２記載の発明は、請求項１６、１７又は１８記載のＣＤＭＡ受信装置におけるパス検出装置に係り、前記検出手段が、前記基準パスの前記検出時刻から所定時間よりも長く、かつ、前記パス検出時間よりも短い時間だけずれた時刻までのパスであって、該パスの前記受信レベルが、検出された前記基準パスの前記受信レベルに前記所定時間だけずれた時刻での第１のパス検出閾値係数を乗算して得た第１のパス検出閾値を超えていることを条件に有効なパスを検出することを特徴としている。
【００４７】
請求項２３記載の発明は、請求項１６、１７又は１８記載のＣＤＭＡ受信装置におけるパス検出装置に係り、上記検出手段は、上記基準パスの受信レベルが、上記パス検出閾値を超えているとき有効なパスを検出する第１の検出手段と、上記無条件マスク閾値を超えているとき有効なパスを検出する第２の検出手段と、上記所定時間だけずれた時刻までのパスであって、該パスの上記受信レベルが、上記第１のパス検出閾値を超えているとき有効なパスを検出する第３の検出手段と、上記所定時間よりも長く、かつ、上記パス検出時間よりも短い時間だけずれた時刻までのパスであって、該パスの上記受信レベルが、上記第１のパス検出閾値を超えているとき有効なパスを検出する第4の検出手段との一部又は全部の組み合わせとして構成されることを特徴としている。
【００４８】
請求項２４記載の発明は、請求項２０、２１、２２又は２３記載のＣＤＭＡ受信装置におけるパス検出装置に係り、上記所定時間は、上記基本単位時間の１／４の時間であることを特徴としている。
【００４９】
請求項２５記載の発明は、請求項２０、２１、２２又は２３記載のＣＤＭＡ受信装置におけるパス検出装置に係り、上記所定時間は、上記基本単位時間の１／２の時間であることを特徴としている。
【００５０】
請求項２６記載の発明は、請求項１９、２３、２４又は２５記載のＣＤＭＡ受信装置におけるパス検出装置に係り、上記パス検出閾値係数は、３．７５であることを特徴としている。
【００５１】
請求項２７記載の発明は、請求項２０、２３、２４又は２５記載のＣＤＭＡ受信装置におけるパス検出装置に係り、上記第１のパス検出閾値係数は、０．９３７５であることを特徴としている。
【００５２】
請求項２８記載の発明は、請求項２０、２３、２４又は２５記載のＣＤＭＡ受信装置におけるパス検出装置に係り、上記第１のパス検出閾値係数は、０．６２５であることを特徴としている。
【００５３】
請求項２９記載の発明は、請求項２１又は２３記載のＣＤＭＡ受信装置におけるパス検出装置に係り、上記無条件マスク閾値係数は、８であることを特徴としている。
【００５４】
請求項３０記載の発明は、請求項２２、２３、２４又は２５記載のＣＤＭＡ受信装置におけるパス検出装置に係り、上記所定時間よりも長く、かつ、上記パス検出時間よりも短い時間は、上記基本単位時間の３／４の時間であることを特徴としている。
【００５５】
請求項３１記載の発明は、制御プログラムを記載した記録媒体に係り、コンピュータに、請求項１乃至１５のうちのいずれか一に記載のＣＤＭＡ受信装置におけるパス検出方法を実現させるための制御プログラムを記載したことを特徴としている。
【００５６】
請求項３２記載の発明は、制御プログラムを記載した記録媒体に係り、コンピュータに、請求項１６乃至３０のうちのいずれか一に記載のＣＤＭＡ受信装置におけるパス検出装置の機能を実現させるための制御プログラムを記載したことを特徴としている。
【００５７】
【発明の実施の形態】
以下、図面を参照して、この発明の実施の形態について説明する。説明は、実施例を用いて具体的に説明する。
◇第１実施例
図１は、この発明の第１実施例であるＣＤＭＡ受信装置におけるパス検出装置の電気的構成を示す図、図２は、同パス検出装置の処理手順の一部を示すフローチャート、図３は、同パス検出装置の処理手順の残部を示すフローチャート、図４は、同パス検出装置で作成された遅延プロファイルの第１の例を示す図、図５は、同パス検出装置で作成された遅延プロファイルの第２の例を示す図、また、図６は、同パス検出装置で作成された遅延プロファイルの第３の例を示す図である。
【００５８】
この実施例のパス検出装置は、有効なパスを検出する場合の有効なパスの誤認識を可及的に少なくし得る装置に係り、図１に示すように、逆拡散手段１２、拡散符号レプリカ生成手段１４、記憶部１６、平均値算出手段１８、第１の乗算手段２０、最大受信レベル検出手段２２、第２の乗算手段２４、第３の乗算手段２６、パス検出手段２８及びパスマスク手段３０から構成されている。
なお、逆拡散手段１２の入力には、アンテナ１１で受信した高周波信号を高周波受信回路１３でダウンコンバートし、ダウンコンバートされた信号をA／D変換回路１５でA／D変換した受信信号が供給される。また、受信信号は、フィンガ１７に供給され、後述する有効なパスに基づいて逆拡散した信号（復調信号）がフィンガ１７から出力される。その復調信号は、レイク受信回路１９へ供給されてレイク合成され、レイク合成された信号は、図示しない受信データを再生する回路に供給される。
【００５９】
逆拡散手段１２は、受信される受信信号と拡散符号レプリカ生成手段１４から与えられる拡散符号レプリカとタイミング信号とを用いて受信信号を逆拡散して遅延プロファイルの受信レベルを順次作成するものである。この実施例において、受信信号を逆拡散するタイミングは、１／４チップ分解能に設定されている。タイミング信号は、図示しないタイミング生成手段から供給される。
記憶部１６は、逆拡散手段１２で順次に作成される遅延プロファイルの受信レベルを記憶するものである。
【００６０】
平均値算出手段１８は、記憶部１６に記憶されている遅延プロファイルを読み出してその平均値を算出するものである。
第１の乗算手段２０は、平均値算出手段１８で算出された遅延プロファイルの平均値と、パラメータとして外部から供給されるパス検出閾値係数とを乗算してパス検出閾値を算出するものである。パス検出閾値係数は、ＣＤＭＡ受信装置において、以下に述べる基準パスをレイク合成すべきパス（以下、有効なパスという）とするか否かを判断し、有効なパスとの判断となったときに後述する各処理を行うようにしてＣＤＭＡ受信装置の受信特性を如何様な受信特性にするかによって決められる係数であり、このパス検出閾値係数の算定例を、ＣＤＭＡ受信装置の回路規模に重点を置いて受信特性のシュミレーションから決め得る値を示せば、上記パス検出閾値係数は、３．７５である。
【００６１】
最大受信レベル手段２２は、記憶部１６に記憶されている遅延プロファイルを読み出し、その遅延プロファイルを用いて最大受信レベルを有するパスを基準パスとして検出するものである。
第２の乗算手段２４は、最大受信レベル手段２２で検出された基準パスの受信レベルとパラメータとして外部から供給される１／４チップずれ隣接パス閾値係数とを乗算して１／４チップずれ隣接パス閾値を算出するものである。
第３の乗算手段２６は、最大受信レベル手段２２で検出された基準パスの受信レベルとパラメータとして外部から供給される１／２チップずれ隣接パス閾値係数とを乗算して１／２チップずれ隣接パス閾値を算出するものである。
【００６２】
上記１／４チップずれ隣接パス検出閾値係数も、また、上記１／２チップずれ隣接パス検出閾値係数も、ＣＤＭＡ受信装置において、有効なパスとそうでないパスとを区別して受信特性を如何様な受信特性にするかによって決められるパス検出閾値係数である。これら両パス検出閾値係数の算定例を、ＣＤＭＡ受信装置の回路規模に重点を置いて受信特性のシュミレーションから決め得る値を示せば、上記１／４チップずれ隣接パス検出閾値係数は、０．９３７５であり、上記１／２チップずれ隣接パス検出閾値係数は、０．６２５である。
【００６３】
パス検出手段２８は、最大受信レベル手段２２で検出した基準パス及び該基準パスから±３／４チップ以内に存在するパスを有効なパスとされるべきか否かを、第１の乗算手段２０で算出したパス検出閾値と第２の乗算手段２４で算出した１／４チップずれ隣接パス閾値と第３の乗算手段２６で算出した１／２チップずれ隣接パス閾値とにより決定するものである。
パスマスク手段３０は、最大受信レベル手段１８で検出された基準パス及びパス検出手段２８で検出される基準パスから±３／４チップ以内に存在するパスに対するマスク処理を行うものである。
【００６４】
次に、図１乃至図６を参照して、この実施例の動作について説明する。
ＣＤＭＡ受信装置のアンテナ１１において受信された高周波信号は、高周波受信回路１３でダウンコンバートされ、ダウンコンバートされた信号は、Ａ／Ｄ変換回路１５でA／D変換される。そのA／D変換された受信信号は、複数のフィンガ１７に供給される。フィンガ１７は、そのフィンガ毎にパス検出手段２８から供給される有効なパスに基づいて逆拡散を行って逆拡散した信号をレイク受信回路１９に供給する。
フィンガ１７における有効なパスに基づく逆拡散は、１つのフィンガにおいてその有効なパスを受け取って逆拡散した信号の受信レベルを見て逆拡散した信号をレイク合成すべきパスの信号としてレイク受信回路１９に供給するようにしてもよいし、有効なパスを１又は複数のフィンガでの逆拡散に使用するようにしてもよい。
【００６５】
また、上述の受信信号とタイミング信号とが逆拡散手段１２に供給されると共に、拡散符号レプリカ生成手段１４から拡散符号レプリカが逆拡散手段１２に供給されると、逆拡散手段１２は、受信信号をタイミング信号の時刻毎に逆拡散して遅延プロファイルを構成する受信レベルを順次生成する。この順次生成される受信レベルは、記憶部１６に順次記憶される。
拡散符号レプリカは、二進信号列で表され、その“１”及び“０”のいずれをも表す時間期間の最小の基本単位時間がチップと呼ばれる。上記タイミング信号は、図示しないタイミング生成手段から供給されるもので、この実施例においては、１／４チップ分解能である。
【００６６】
平均値算出手段１８が、記憶部１６に記憶されている遅延プロファイルを読み出してその平均値を算出する（図２のＳＡ１）。第１の乗算手段２０は、平均値算出手段１８から出力された平均値にパス検出閾値係数を乗算してパス検出閾値を出力する（図２のＳＡ２）。
また、最大受信レベル検出手段２２は、記憶部１６から遅延プロファイルを読み出してその最大受信レベルのパスを算出し、そのパスを基準パスとする（図２のＳＡ３）。
【００６７】
基準パスを受け取ったパス検出手段２８は、その基準パスの受信レベルが上記第１の乗算手段２０から出力されているパス検出閾値を超えているか否かを判定する（図２のＳＡ４）。上記基準パスの受信レベルが上記パス検出閾値より小さい場合には（図２のＳＡ４のＮ）、パスの検出処理を終了する。
【００６８】
このパス検出処理の終了は、次のような理由から行われる。
すなわち、遅延プロファイルの発生形態が図４のようなものであるとした場合について説明する。図４において、その横軸は時間で、その１目盛は、５チップである。縦軸は、受信レベル（コード相関値）である。
その遅延プロファイル内に存在するピークＡ４、Ａ６は、ノイズやフェージングによる干渉で生ずるピーク、若しくはコード相関で生ずるピークであり、本来有効なパスではないし、また、ピークＡ５は、有効なパスのピークＡ１と有効なパスのピークＡ２との中間に存在するピークで、ピークＡ１とピークＡ２との干渉で生ずるピークであって、このピークを有するパスも、本来有効なパスではない。
それにも拘わらず、遅延プロファイルの受信レベルの大きい順に有効なパスを検出する従来のパス検出方法に従うと、ピークＡ４、Ａ５、Ａ６をも有効なパスとして検出してしまう。結果として、受信特性を劣化させてしまう。
【００６９】
しかし、上述したステップＳＡ４での判定、すなわち、基準パスの受信レベルが、パス検出閾値（図３のＡ７）を超えているか否かの判定において、図３のピークＡ４、Ａ５、Ａ６のいずれも、パス検出閾値Ａ７以下にあるから、ピークＡ４、Ａ５、Ａ６を有効なパスとして検出してしまうことはなくなる。つまり、受信特性の劣化の防止に役立つ。
なお、上述のようにステップＳＡ４での判定が否定になるから、図４の網掛け部分がパス検出においてマスクされることになる。
【００７０】
そして、図２のステップＳＡ４での判定における基準パスの受信レベルが上述のパス検出閾値を超えている場合には（図２のＳＡ４のＹ）、第２の乗算手段２４が、最大受信レベル検出手段２４から出力される基準パスの受信レベルに１／４チップずれ隣接パス検出閾値係数を乗算して１／４チップずれ隣接パス検出閾値を算出し、第２の乗算手段２６が、最大受信レベル検出手段２４から出力される基準パスの受信レベルに１／２チップずれ隣接パス検出閾値係数を乗算して１／２チップずれ隣接パス検出閾値を算出する（図２のＳＡ５）。
【００７１】
これら両パス検出閾値が算出された後に、パス検出手段２８は、基準パスから±１／４チップにあるパスで、かつ、受信レベルが１／４チップずれ隣接パス検出閾値を超えているか否かを判定する（図２のＳＡ６）。この判定が肯定であるならば（図２のＳＡ６のＹ）、基準パスから±１／４チップにあるパスを有効なパスとして検出し、有効なパスの数を１だけカウントアップする（図２のＳＡ７）。
そして、検出された有効なパス数がフィンガ本数分検出されているか否かを判定する（図２のＳＡ８）。この判定が肯定であるならば（図２のＳＡ８のＹ）、この時刻に記憶部１６に記憶されている遅延プロファイルについてのパス検出処理を終了する。
【００７２】
図２のステップＳＡ６での判定が否定となるとき（図２のＳＡ６のＮ）、又は、スステップＳＡ８での判定が否定となるとき（図２のＳＡ８のＮ）、パス検出手段２８は、基準パスから±１／２チップにあるパスで、かつ、受信レベルが１／２チップずれ隣接パス検出閾値を超えているか否かを判定する（図３のＳＡ９）。この判定が肯定であるならば（図３のＳＡ９のＹ）、基準パスから±１／２チップにあるパスを有効なパスとして検出し、有効なパスの数を１だけカウントアップする（図３のＳＡ１０）。
そして、検出された有効なパス数がフィンガ本数分検出されているか否かを判定する（図３のＳＡ１１）。この判定が肯定であるならば（図３のＳＡ１１のＹ）、この場合に記憶部１６に記憶されている遅延プロファイルについてのパス検出処理を終了する。
【００７３】
図３のステップＳＡ９での判定が否定となるとき（図３のＳＡ９のＮ）、又は、図３のステップＳＡ１１での判定が否定となるとき（図３のＳＡ１１のＮ）、パス検出手段２８は、基準パスから±３／４チップにあるパスで、かつ、受信レベルが１／２チップずれ隣接パス検出閾値を超えているか否かを判定する（図３のＳＡ１２）。この判定が肯定であるならば（図３のＳＡ１２のＹ）、基準パスから±３／４チップにあるパスを有効なパスとして検出し、有効なパス数を１だけカウントアップする（図３のＳＡ１３）。
そして、検出された有効なパス数がフィンガ本数分検出されているか否かを判定する（図３のＳＡ１４）。この判定が肯定であるならば（図３のＳＡ１４のＹ）、この場合に記憶部１６に記憶されている遅延プロファイルについてのパス検出処理を終了する。
【００７４】
図３のステップＳＡ１２での判定が否定となるとき（図３のＳＡ１２のＮ）、又は、図３のステップＳＡ１４での判定が否定となるとき（図３のＳＡ１４のＮ）、パスマスク手段３０は、基準パスの±３／４チップ以内にあるパスに対するマスク処理を行う（図３のＳＡ１５）。
このマスク処理が行われた場合の上記基準パスを有効なパスとして検出し、有効なパスの数を１だけカウントアップする（図３のＳＡ１６）。
【００７５】
上述したパス検出手段２８において、基準パスから±１／４チップにあるパスで、かつ、受信レベルが１／４チップずれ隣接パス検出閾値Ｂ３を超えているか否かを判定し（図２のＳＡ６）、上記基準パスから±１／４チップにあるパスを有効なパスとして検出しているから、遅延プロファイルの発生形態が、例えば、図５（図５の横軸は時間で、その１目盛は、１／４チップである。縦軸は、受信レベル（コード相関値）である）に示すものであるとしたとき、その最大受信レベルのパスから±１／４チップに存在するパスＢ１、Ｂ２は、上述したステップＳＡ６及びステップＳＡ７の処理により有効なパスとして検出されるが、ステップＳＡ９及びステップＳＡ１０の処理においても、また、ステップＳＡ１２及びステップＳＡ１３の処理においても、有効なパスは検出されない。
【００７６】
このように、パスＢ１、Ｂ２が、有効なパスとして検出され得るから、受信特性の向上となる。
なお、ステップＳＡ９での判定は否定となり、また、ステップＳＡ１１での判定も否定となってステップＳＡ１５でのマスク処理が行われるから、図５中の網掛け部分がパス検出においてマスクされることになる。
【００７７】
また、遅延プロファイルが、例えば、図６（図６の横軸は時間で、その１目盛は、１／４チップである。縦軸は、受信レベル（コード相関値）である）に示すものであるとしたとき、その最大受信レベルのパス（Ｃ１）から±１／２チップにあって上記判定条件を満たすパスＣ２が、上述したステップＳＡ９及びステップＳＡ１０の処理により有効なパスとして検出され、また、上記最大受信レベルのパス（Ｃ１）から±３／４チップにあって上記判定条件を満たすパスＣ３が、上述したステップＳＡ１２及びステップＳＡ１３の処理により有効なパスとして検出される。したがって、受信特性の向上となる。
【００７８】
なお、ステップＳＡ６の判定は否定となり、ステップＳＡ９の判定は肯定でステップＳＡ１０での検出が行われ、また、ステップＳＡ１２の判定は肯定でステップＳＡ１３での検出が行われるから、図６中の網掛け部分がパス検出においてマスクされることになる。
【００７９】
このようにして検出された有効なパスの数が、フィンガ本数分となっているか否かを判定する（図３のＳＡ１７）。
この判定が肯定となるときは（図３のＳＡ１７のＹ）、パス検出処理は終了となるが、通常、何回目までのステップＳＡ１７での判定は否定となる。
【００８０】
このようなステップＳＡ１７での判定が否定となるときは（図３のＳＡ１７のＮ）、最大受信レベル検出手段２２は、基準パスの受信レベルよりも小さい受信レベルであって、最大受信レベルとなっているパスを検出し、このパスを基準パスとする（図３のＳＡ１８）。
このようにして決められた基準パスについて、ステップＳＡ４〜ステップＳＡ１８までのパス検出処理が開始される。
【００８１】
上述のステップＳＡ８、ステップＳＡ１１及びステップＳＡ１４での判定、又は上述のステップＳＡ４〜ステップＳＡ１８までのパス検出処理が何回か繰り返されてステップＳＡ１７での判定が肯定となったとき、パス検出処理は処理し、検出されたパス、すなわち、有効なパスがフィンガ１７に供給される。
有効なパスは、フィンガ１７での逆拡散に用いられ、逆拡散された信号は、レイク受信回路１９へ供給されてレイク合成される。
そのレイク合成された信号は、従来と同様にして受信データの復調に供せられる。
【００８２】
ここで、【従来の技術】の項で説明した第２の公知例のパス検出装置とこの発明のパス検出装置との性能比較を表１に示しておく。
【００８３】
【表１】
0003753637.tif 000002
【００８４】
表１は、３ＧＰＰ（３ｒｄ Ｇeneration Ｐartnership Ｐroject）ＴＳ 25.101 Ｖ3.5.0, “ＵＥ Ｒadio Ｔransmission and Ｒeception(ＦＤＤ)（Ｒelease 1999）”（2000年１２月発行）（以下３ＧＰＰと略称する）のＰ.27〜Ｐ.30において規定されている環境の下においてテストした第２の公知例のパス検出装置及びこの発明のパス検出装置のＢＬＥＲ（Ｂlock Ｅrror Ｒatio）と第２の公知例のパス検出装置に対するこの発明のパス検出装置のＢＬＥＲの特性向上の程度とを示す。
【００８５】
表１の中の「環境@12.2kbps ＤＣＨ」は、３ＧＰＰで定義されているＤＣＨというチャネルの通信速度が12.2 kbpsであるテスト環境条件を表している。また、ＳＴＡＴＩＣは、３ＧＰＰ 8.2.3.1章（Ｐ.27）におけるＴest１であり、ＣＡＳＥ１は、３ＧＰＰ 8.3.1.1章（Ｐ.28）におけるＴest１であり、ＣＡＳＥ２は、３ＧＰＰ 8.3.1.1章（Ｐ.28）におけるＴest５であり、ＣＡＳＥ３は、３ＧＰＰ 8.3.1.1章（Ｐ.28）におけるＴest９であり、ＭＯＶＩＮＧは、３ＧＰＰ 8.4.1.1章（Ｐ.29）におけるＴest１であり、ＢＩＲＴＨ／ＤＥＡＴＨは、３ＧＰＰ 8.5.1.1章（Ｐ.30）におけるＴest１である。
【００８６】
このように、この実施例の構成によれば、遅延プロファイルの最大受信レベルのパスを基準パスとしてパス検出処理に入ったとき、遅延プロファイルの平均値にパス検出閾値係数を乗算し、乗算して得られたパス検出閾値を超える受信レベルを有するパスを有効なパスとするようにしたので、ノイズやフェージングによる干渉若しくはコード相関により受信レベルが大きくなったとしても、その受信レベルを有するパスを有効なパスとして誤認識しまうことはなくなり、受信特性の向上が図れる。
【００８７】
また、遅延プロファイルの順次の最大受信レベルを有するパスを基準パスとし、該基準パスの受信レベルに１／４チップずれ隣接パス閾値係数を乗算して１／４チップずれ隣接パス閾値を算出し、上記基準パスから±１／４チップにあるパスであって、かつ、当該パスの受信レベルが１／４チップずれ隣接パス閾値を超える受信レベルを有するパスを有効なパスとするようにしたので、２つの受信レベル算出時刻（サンプリング時刻）の間に有効なパスが存在する場合、上記２つのサンプリング時刻における受信レベルが上記１／４チップずれ隣接パス閾値を超えており、この受信レベルを有するパスも有効なパスとすることが可能となる。
遅延プロファイルが、図５に示す遅延プロファイルとなっている場合の受信特性の向上が図れる。
【００８８】
また、遅延プロファイルの順次の最大受信レベルを有するパスを基準パスとし、該基準パスの受信レベルに１／２チップずれ隣接パス閾値係数を乗算し、上記基準パスから±１／２チップ又は±３／４チップにあるパスであって、かつ、当該パスの受信レベルが１／２チップずれ隣接パス閾値を超える受信レベルを有するパスを有効なパスとするようにしたので、有効なパスとして検出した受信レベル算出時刻から１チップ以内で、かつ、２以上のチップ分解能だけずれている時間領域に存在するパスであって、上記１／２チップずれ隣接パス閾値係数を超えるパスを有効なパスとすることが可能になる。
遅延プロファイルが、図６に示す遅延プロファイルとなっている場合の受信特性の向上が図れる。
【００８９】
◇第２実施例
図７は、この発明の第２実施例であるＣＤＭＡ受信装置におけるパス検出装置の電気的構成を示す図、図８は、同パス検出装置の処理手順の一部を示すフローチャート、図９は、同パス検出装置の処理手順の残部を示すフローチャート、また、図１０は、同パス検出装置で作成された遅延プロファイルの例を示す図である。
この実施例の構成が、第１実施例のそれと大きく異なるところは、遅延プロファイルの平均値から無条件マスク閾値を算出してこの無条件マスク閾値をパス検出に供するようにした点にある。
【００９０】
すなわち、第１実施例の平均値算出手段１８から出力された平均値に無条件マスク閾値係数を乗算して無条件マスク閾値を算出する第４の乗算手段３２を設けたことにある。
無条件マスク閾値係数は、外部からパラメータとして与えられる係数で、ＣＤＭＡ受信装置を第１実施例に従って構成するときそのパス検出方法の下では誤認識してしまうパスを排除してＣＤＭＡ受信装置の受信特性を如何様な受信特性にするかによって決められる係数であり、この無条件マスク閾値係数の算定例を、ＣＤＭＡ受信装置の回路規模に重点を置いて受信特性のシュミレーションから決め得る値を示せば、上記パス検出閾値係数は８である。
【００９１】
したがって、この実施例におけるパス検出手段２−２８は、第１実施例でのパス検出条件に無条件マスク閾値を考慮に入れてパスの検出を行って有効なパスをフィンガ１７に供給する。
すなわち、パス検出手段２−２８は、第１実施例と同様に、基準パスの受信レベルがパス検出閾値を超えているか否かの判定を行った後に、その基準パスの±３／４チップ以内にあるパスであって、その受信レベルが無条件マスク閾値を超えているならば、第１実施例と同じパス検出処理を行うが、超えていないときには、直ちに基準パスの±３／４チップ以内にあるパスに対するマスク処理を行い、基準パスを有効なパスとして検出するというパス検出処理を行う。
この構成を除くこの実施例の各部の構成は、第１実施例と同一構成であるので、それらの各部には第１実施例と同一の参照符号を付してその説明を省略する。
【００９２】
次に、図７乃至図１０を参照して、この実施例の動作について説明する。
この実施例の動作は、次の２つの相違点を除いて、第１実施例の動作と同じである。
その第１の相違点は、平均値算出手段１８で遅延プロファイルの平均値を算出した後に、第４の乗算手段３２において上記平均値から無条件マスク閾値を算出する（図８のステップＳＢ１）点である。なお、ステップＳＢ１において、第１の実施例と同様に、パス検出閾値の算出も行う。
第２の相違点は、第２の乗算手段２４で１／４チップずれ隣接パス検出閾値を算出し、第３の乗算手段２６で１／２チップずれ隣接パス検出閾値を算出した後に、基準パスの±３／４チップ以内に存在するパスであって、そのパスの受信レベルが無条件マスク閾値を超えている否かの判定を行う（図８のＳＢ２）点である。
【００９３】
これらの相違点を除くこの実施例のパス検出処理は、第１実施例において説明しているので、第１実施例との相違点となっているステップＳＢ１において、無条件マスク閾値を算出し、ステップＳＢ２において、基準パスの±３／４チップ以内に存在するパスの受信レベルが無条件マスク閾値を超えている否かの判定について以下に説明する。
平均値算出手段１８において算出された平均値に無条件マスク閾値係数が第４の乗算手段３２において乗算され、無条件マスク閾値が第４の乗算手段３２から出力される（図８のＳＢ１）。出力された無条件マスク閾値は、パス検出手段２−２８に供給される。
【００９４】
基準パスの受信レベルがパス検出閾値を超えており（図８のＳＡ４のＹ）、１／４チップずれ隣接パス検出閾値及び１／２チップずれ隣接パス検出閾値が算出された後（図８のＳＡ５）、基準パスから±３／４チップ以内のパスの受信レベルが無条件マスク閾値を超えているか否かの判定が行われる（図８のＳＢ２）。ステップＳＢ２での判定が否定であるときは（図８のＳＢ２のＮ）、直ちにステップＳＡ１５の処理、すなわち、基準パスから±３／４チップ以内に存在するパスに対するマスク処理をし（図８のＳＡ１５）、基準パスを有効なパスとして検出する（図８のＳＡ１６）。
【００９５】
しかし、ステップＳＢ２での判定が肯定であるときは（図８のＳＢ２のＹ）、第１実施例でのパス検出処理に入る、すなわち、ステップＳＡ６での処理に入って行く。
図８のステップＳＡ６からステップＳＡ１８までの処理は、第１実施例と同じであるので、第１実施例の対応する説明個所を参照されたい。
【００９６】
無条件マスク閾値を用いることにより得られる有利性を、図１０を参照して以下に説明する。
記憶部１６に記憶される遅延プロファイルが、例えば、図１０に示すようなものであったとする。なお、図１０の横軸は時間で、その１目盛は、１／４チップ分解能であり、また、縦軸は、受信レベル（コード相関値）を示す。
【００９７】
図１０の横軸に記されている１／４チップ分解能のタイミング１６０におけるパスＤ１の受信レベルが、有効なパスとして検出されたとする。
そうすると、第１実施例によるパス検出処理だけでは、ノイズやフェージング等が比較的に小さい受信レベルのパスＤ１に干渉してパスＤ１に近い位置にパスＤ２、Ｄ３のピークが現れて来ている場合には、これらのピークは、１／４チップずれ隣接パス検出閾値Ｂ３及び１／２チップずれ隣接パス検出閾値Ｃ４を超えているとの判定が、ステップＳＡ６及びステップＳＡ９で得られることになり、したがって、パスＤ２、Ｄ３は、有効なパスとして検出される（図８のＳＡ７、図９のＳＡ１０）。
このような受信レベルの比較的小さいパスを幾つも有効なパスとして検出してしまうことは、受信特性の劣化となる。
【００９８】
たとえ、パス検出処理に供される遅延プロファイルが、受信レベルの比較的小さい基準パス近傍に存在する１又は複数のパスを有効なパスとして検出させてしまうような遅延プロファイルであったとしても、基準パスから±３／４チップ以内に存在するパスの受信レベルが無条件マスク閾値（図１０のＤ４）以下であるときは（図８のＳＢ２のＮ）、直ちに基準パスから±３／４チップ以内に存在するパスに対するマスク処理を行い（図９のＳＡ１５）、基準パスを有効なパスとして検出する（図９のＳＡ１６）ことにより、パスＤ２、Ｄ３が、有効なパスとして検出されるのを回避し得る。したがって、受信特性の向上が図れる。
なお、基準パスＤ１についてのステップＳＢ２における判定が否定となり、この否定判定となった基準パスについてマスク処理を行って（図９のＳＡ１５）基準パスＤ１を有効なパスとして検出する（図９のＳＡ１６）から、図１０中の網掛け部分がパス検出においてマスクされることになる。
【００９９】
このように、この実施例の構成によれば、基準パスの受信レベルがパス検出閾値を超えていたとしても、さらに、その基準パスが無条件マスク閾値を超えているか否かの判定（以下、無条件マスク判定という）を行い、この無条件マスク判定も、また、肯定であるときは、第１実施例と同様のパス検出処理に入って行くが、上記無条件マスク判定が否定となるならば基準パスから±３／４チップ以内のパスに対するマスク処理をして基準パスを有効なパスとして検出するようにしたので、たとえ、パス検出処理に供される遅延プロファイルが、受信レベルの比較的小さい基準パス近傍に存在する１又は複数のパス（以下、近傍のパス）を有効なパスとして検出させてしまうような遅延プロファイルとなっていたとしても、近傍のパスは、有効なパスから除外され、基準パスだけが有効なパスとして検出することが可能になる。
したがって、電波伝播の変動状況によっては、第１実施例よりも、受信特性の向上が一層期待し得る。
【０１００】
◇第３実施例
図１１は、この発明の第３実施例であるＣＤＭＡ受信装置におけるパス検出装置の電気的構成を示す図である。
この実施例の構成が、第１実施例及び第２実施例のそれと大きく異なるところは、第１実施例における平均値算出手段１８、第１の乗算手段２０、最大受信レベル検出手段２２、第１の乗算手段２４、第２の乗算手段２６、パス検出手段２８及びパスマスク手段３０、又は第２実施例における平均値算出手段１８、第１の乗算手段２０、最大受信レベル検出手段２２、第１の乗算手段２４、第２の乗算手段２６、パス検出手段２−２８、パスマスク手段３０及び第４の乗算手段３２で行う処理手順をプログラムで構成し、そのプログラムを実行可能なハードウェアで実行させて上記処理手順の各々を実現させるようにした点にある。
【０１０１】
すなわち、上記処理手順を記述したプログラムは、制御メモリ３４に記憶される。この制御メモリ３４が、揮発性メモリであるときは、予め、上記プログラムは、磁気ディスク装置等の不揮発性記憶装置に記憶されており、ＣＤＭＡ受信装置が稼動されるとき不揮発性記憶装置から揮発性のメモリに読み出されて汎用ＤＳＰ３６での実行に供せられる。
【０１０２】
この汎用ＤＳＰ３６が、ＣＤＭＡ受信装置が稼動されるとき、制御メモリ３４からプログラムを読み出してその実行部、すなわち、パス検出部３−２８で実行することにより、第１実施例について説明した図２及び図３に示す処理手順に従うパス検出処理が、パス検出部３−２８で遂行される。
パス検出部３−２８からは、第１実施例及び第２実施例と同様の有効なパスが出力され、その有効なパスは、フィンガ１７（図１１には図示せず）に供給される。
これらの構成を除くこの実施例の各部の構成は、第１実施例又は第２実施例の構成と同一であるので、それらの各部には第１実施例又は第２実施例と同一の参照符号を付してその説明を省略する。
【０１０３】
次に、図１１を参照して、この実施例の動作について説明する。
上述の第１実施例で説明したように、受信信号とタイミング信号とが逆拡散手段１２に供給されると共に、拡散符号レプリカ生成手段１４から拡散符号レプリカが逆拡散手段１２に供給されると、逆拡散手段１２は、受信信号をタイミング信号の時刻毎に逆拡散して遅延プロファイルを構成する受信レベルを順次生成する。この順次生成される受信レベルは、記憶部１６に順次記憶される。
【０１０４】
受信レベルを記憶部１６に記憶した後に、第１実施例で説明した処理手順（図２及び図３）又は第２実施例で説明した処理手順（図８及び図９）を汎用ＤＳＰ３６で実行させるためのプログラムが、ＤＳＰ１６のパス検出部３−２８によって制御メモリ３４から読み出されてパス検出部３−２８で実行されるとき、記憶部１６に記憶された遅延プロファイルの受信レベルが、ＤＳＰ３６のパス検出部３−２８へ記憶部１６から読み出されてパス検出部３−２８でのパス検出に供せられる。
【０１０５】
パス検出部３−２８で処理されて得られたパス検出結果である有効なパスは、パス検出部３−２８から第１実施例又は第２実施例で説明したフィンガ１７に供給されて受信信号を逆拡散した信号（復調信号）をレイク受信回路１９へ供給する。
【０１０６】
このように、この実施例の構成によっても、第１実施例又は第２実施例で得られる作用効果と同等の作用効果が得られる。
【０１０７】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、第１実施例及び第２実施例の構成各部は、ハードウェア構成であると、ソフトウェア構成であるとを問わない。例えば、平均値算出手段１８は、平均値算出回路であると、平均値算出プログラムであるとを問わない。同様に、最大受信レベル検出手段以下も、また、同じである。
【０１０８】
また、第１実施例においては、図２に示すステップＳＡ６及びステップＳＡ７の処理と、図３に示すステップＳＡ９及びステップＳＡ１０の処理と、図３に示すステップＳＡ１２及びステップＳＡ１３の処理とをすべて備えた構成でこの発明を実施する例について説明したが、これら３つの処理のいずれか１つ単独で、又はそれらのいずれかの組み合わせでこの発明を実施してもよい。
このことは、第２実施例についても同様である。
第１実施例においても、また、第２実施例においても、検出される有効なパスの数は、フィンガ本数よりも多くてもよい。
【０１０９】
さらには、チップ分解能をさらに高くして上記３つの処理に相当する処理数を多くしてこの発明を実施するようにしてもよい。
その場合の基準パスからのずれは、受信特性の向上に有意なパス検出時間となる基本単位時間又はこの基本単位時間を超える時間内の所定時間の各々とされる。所定時間の値は、チップ分解能に乗ぜられる自然数倍であって、基本単位時間内又は基本単位時間を超える時間内の値である。
【０１１０】
また、１／４チップずれ隣接パス検出閾値係数及び１／２チップずれ隣接パス検出閾値係数は、チップ内であって、その他のチップ分解能によって決まる時間だけずれた時刻におけるパス検出閾値係数をその代わりに用いるようにしてもよい。
また、パスマスク手段においても、チップ内のその他のマスク範囲又はチップを超える他のマスク範囲とすることも可能である。
【０１１１】
上記いずれの実施例においても、上述の有効なパスをフィンガ１７で受けて上記復調信号を発生させてレイク受信回路へ供給する構成の中でこの発明を実施する例について説明したが、フィンガ１７で既に発生されている上記復調信号を上述の有効なパスを受けてレイク受信回路１９へ供給するようにしてもよい。
【０１１２】
【発明の効果】
以上説明したように、この発明の構成によれば、遅延プロファイルの平均値にパス検出閾値係数を乗算し、乗算して得られたパス検出閾値を超える受信レベルを有するパスを有効なパスとするようにしたので、ノイズやフェージングによる干渉若しくはコード相関により受信レベルが大きくなったとしても、その受信レベルを有するパスを有効なパスとして誤認識しまうことはなくなり、受信特性の向上が図れる。
【０１１３】
また、基準パスの検出時刻から受信特性の向上に有意なパス検出時間よりも短い所定時間だけずれたパス検出時刻までのパスであって、かつ、当該パスの受信レベルが上記所定時間だけずれたパス検出時刻でのパス検出閾値を超える受信レベルを有するパスを有効なパスとするようにしたので、上記パス検出時間内のパスをマスクしてしまう場合に比して、より多くの有効なパスの検出が可能になる。
例えば、２つのパス検出時刻（サンプリング時刻）の間にピークが存在する場合であっても、上記２つのパス検出時刻における受信レベルが上記パス検出閾値を超えているならば、上記有効なパスとして検出されたパスの前後±１個のパスは、有効なパスとすることが可能となる。
【０１１４】
さらには、有効なパスを検出したパス検出時刻（サンプリング時刻）から±ｍ個（ｍは遅延プロファイルを作成する際の分解能により決定される自然数、ｍ＞１）のサンプリング時刻を数えた時刻であって、パス検出時間内のパスを有効なパスとして検出することが可能になる。
したがって、受信特性の向上が図れる。
【０１１５】
また、遅延プロファイルの平均値に無条件マスク閾値係数を乗算し、乗算して得られた無条件マスク閾値を超える受信レベルを有するパスを有効なパスとするようにしたので、受信レベルが比較的小さい基準パス近傍に存在する１又は複数のパスは、有効なパスから除外され、基準パスだけが有効なパスとして検出することが可能になる。
したがって、電波伝播の変動状況によっては、受信特性の向上が一層期待し得る。
【図面の簡単な説明】
【図１】この発明の第１実施例であるＣＤＭＡ受信装置におけるパス検出装置の電気的構成を示す図である。
【図２】同パス検出装置の処理手順の一部を示すフローチャートである。
【図３】同パス検出装置の処理手順の残部を示すフローチャートである。
【図４】同パス検出装置で作成された遅延プロファイルの第１の例を示す図である。
【図５】同パス検出装置で作成された遅延プロファイルの第２の例を示す図である。
【図６】同パス検出装置で作成された遅延プロファイルの第３の例を示す図である。
【図７】この発明の第２実施例であるＣＤＭＡ受信装置におけるパス検出装置の電気的構成を示す図である。
【図８】同パス検出装置の処理手順の一部を示すフローチャートである。
【図９】同パス検出装置の処理手順の残部を示すフローチャートである。
【図１０】同パス検出装置で作成された遅延プロファイルの例を示す図である。
【図１１】この発明の第３実施例であるＣＤＭＡ受信装置におけるパス検出装置の電気的構成を示す図である。
【図１２】従来のパス検出装置において遅延プロファイルの作成例を説明するための図である。
【図１３】従来の１つのＣＤＭＡ受信装置におけるパス検出装置の電気的構成を示す図である。
【図１４】同パス検出装置の処理手順を示すフローチャートである。
【図１５】同パス検出装置で作成された遅延プロファイルの例を示す図である。
【図１６】従来の他のＣＤＭＡ受信装置におけるパス検出装置の電気的構成を示す図である。
【図１７】同パス検出装置の処理手順を示すフローチャートである。
【図１８】従来のさらに他のＣＤＭＡ受信装置におけるパス検出装置の電気的構成を示す図である。
【図１９】同パス検出装置の処理手順を示すフローチャートである。
【図２０】同パス検出装置で作成された遅延プロファイルの第１の例を示す図である。
【図２１】同パス検出装置で作成された遅延プロファイルの第２の例を示す図である。
【図２２】同パス検出装置で作成された遅延プロファイルの第３の例を示す図である。
【符号の説明】
１６      記憶部（基準パス検出手段の一部）
１８      平均値算出手段（検出手段の一部、第１の検出手段の一部、第２の検出手段の一部）
２０      第１の乗算手段（検出手段の一部、第１の検出手段の一部）
２２      最大受信レベル検出手段（基準パス検出手段の残部、検出手段の一部、第３の検出手段の一部、第４の検出手段の一部）
２４      第２の乗算手段（検出手段の一部、第３の検出手段の一部）
２６      第３の乗算手段（検出手段の一部、第３の検出手段の一部）
２８、２−２８      パス検出手段（検出手段の一部、第１の検出手段の残部、第２の検出手段の一部、第３の検出手段の残部、第４の検出手段の一部）
３０      パスマスク手段（検出手段の一部、第４の検出手段の残部）
３２      第4の乗算手段（検出手段の一部、第２の検出手段の残部）
３４      制御メモリ（検出手段の一部、第１の検出手段の一部、第２の検出手段の一部、第３の検出手段の一部、第４の検出手段の一部）
３−２８      パス検出部（検出手段の残部、第１の検出手段の残部、第２の検出手段の残部、第３の検出手段の残部、第４の検出手段の残部）
【図１】
0003753637.tif 000003
【図２】
0003753637.tif 000004
【図３】
0003753637.tif 000005
【図４】
0003753637.tif 000006
【図５】
0003753637.tif 000007
【図６】
0003753637.tif 000008
【図７】
0003753637.tif 000009
【図８】
0003753637.tif 000010
【図９】
0003753637.tif 000011
【図１０】
0003753637.tif 000012
【図１１】
0003753637.tif 000013
【図１２】
0003753637.tif 000014
【図１３】
0003753637.tif 000015
【図１４】
0003753637.tif 000016
【図１５】
0003753637.tif 000017
【図１６】
0003753637.tif 000018
【図１７】
0003753637.tif 000019
【図１８】
0003753637.tif 000020
【図１９】
0003753637.tif 000021
【図２０】
0003753637.tif 000022
【図２１】
0003753637.tif 000023
【図２２】
0003753637.tif 000024